(57)【要約】【課題】構成が簡単で施工コストを低減することができ、かつ施設内に堆積した砂やゴミ等の堆積物の除去作業も容易に行うことのできる雨水流出抑制施設を提供する。【解決手段】雨水を受け入れる雨水流入桝２０と雨水流入桝２０に接続する雨水貯留空間部３０とを備え、雨水流入桝２０はその下端部に雨水貯留空間部３０の底部よりも下位に位置する沈砂桝２６を備える。さらに、沈砂桝２６の部分には周壁に浸透孔４１を持つ浸透管４０の一端を接続する。沈砂桝２６および浸透管４０に堆積した砂やゴミ等は浸透管４０に真空引きパイプ６１を挿入することで容易に実施することができる。【選択図】図３
2010185224.tif 000002
【特許請求の範囲】
【請求項１】
雨水を受け入れる雨水流入桝と前記雨水流入桝に接続する雨水貯留空間部とを備える雨水流出抑制施設であって、
前記雨水流入桝はその下端部に前記雨水貯留空間部の底部よりも下位に位置する沈砂桝を備え、前記沈砂桝には周壁に浸透孔を持つ浸透管の一端が接続しており、前記浸透管は地中に所定長さで延出していることを特徴とする雨水流出抑制施設。
【請求項２】
前記雨水流入桝は前記沈砂桝に近接する位置に雨水排出部を備えることを特徴とする請求項１に記載の雨水流出抑制施設。
【発明の詳細な説明】
【技術分野】
【０００１】
本発明は、地中に埋設される雨水流出抑制施設に関する。
【背景技術】
【０００２】
近年、中小河川の排水能力を上回る規模の降雨が短期間に集中して生じたときに、河川からの溢水によって災害が生じるのを防止する目的で、地中に、雨水貯留空間部を備えた雨水流出抑制施設を設けることが都市部などで行われている。雨水貯留空間部はコンクリート構造物の場合もあり、特許文献１に記載のように、縦方向構造体の間に空隙を有する構造の樹脂成形品の複数個を多段に積み上げた積層構造体と、その周囲に配した不織布のような透水性シートとからなる雨水貯留空間部の場合もある。
【０００３】
このような雨水貯留空間部を備えた雨水流出抑制施設において、雨水とともに砂やゴミ等の固形物が雨水貯留空間部内に流れ込むのを防止するために、雨水の流入経路に沈砂桝が設けられることがある。特許文献２には、そのような沈砂桝に加えて、さらに適宜の浸透管を備えた雨水流出抑制施設が記載されている。この雨水流出抑制施設では、雨水を受け入れる雨水流入桝と雨水貯留空間部との間に、浸透管を水平方向に配置し、該浸透管を通過した雨水を沈砂桝に導き、沈砂桝を通過した雨水を雨水貯留空間部に導入するようにしている。
【０００４】
特許文献３には、雨水流入桝と雨水貯留部と排水桝とを備えた雨水流出抑制施設が記載されており、そこでは、雨水流入桝と排水桝間を接続する沈砂溝を形成し、沈砂溝の上位に沈砂溝から溢れ出た雨水を受け入れて貯留する雨水貯留部を配置するようにしている。そして、排水桝には沈砂溝より高い位置に排水口を設けるとともに、排水桝には、前記排水口よりも低い位置に残留している雨水を排出するための有孔排水管を設けるようにしている。
【０００５】
また、地中に比較的中小規模の浸透貯水槽を構築する場合や、浸透貯水槽を設置する場所の地盤が軟弱地盤の場合に、樹脂材料からなる貯水空間形成部材を多段に積み上げ、その周囲を透水シートで覆って浸透槽とすることも知られている（例えば、特許文献４，５等）。
【先行技術文献】
【特許文献】
【０００６】
【特許文献１】特開２００６−２６６０３４号公報
【特許文献２】特開２００２−２６６４１４号公報
【特許文献３】特開２００８−１３８３７４号公報
【特許文献４】特開平１１−３６３８３号公報
【特許文献５】特開２００８−８０７５号公報
【発明の概要】
【発明が解決しようとする課題】
【０００７】
上記のような雨水流出抑制施設において、沈砂桝や沈砂溝を設けることにより、雨水貯留空間部内に砂やゴミ等の固形物が流入するのをほぼ防止することができるが、一方において、沈砂桝や沈砂溝に堆積した砂やゴミ等の堆積物を除去することが必要となる。特許文献２に記載の雨水流出抑制施設では、水平方向に配置した浸透管内に雨水に伴って流入した土砂が次第に溜まり、浸透管としての機能を果たさなくなったときに、浸透管部分を掘り起こして、洗浄、取り替え等を行うようにしており、堆積物を除去するのに困難な作業を必要とする。また、雨水は、雨水流入桝から浸透管内を通過して雨水貯留空間部に達する構成であり、一時的に大量の雨水が浸透管内に流入したときに、浸透管内にすでに堆積している砂等の堆積物を雨水貯留空間部内へ押し流してしまう恐れがある。
【０００８】
特許文献３に記載の雨水流出抑制施設では、桝内に人間が入り沈砂溝に堆積した土砂を掃き出す清掃作業を行うときに、前記排水口よりも低い位置に残留している雨水を排出するための有孔排水管を設けたことにより、沈砂溝内の雨水を排水した状態とすることができ、清掃作業の効率化を図ることができる利点がある。しかし、雨水流入桝と排水桝とを接続する沈砂溝を形成する構成、該沈砂溝の上位に沈砂溝から溢れ出た雨水を受け入れて貯留する雨水貯留部を配置する構成、さらに、排水桝に前記排水口よりも低い位置に残留している雨水を排出するための有孔排水管を設ける構成、等の多くの構成を必要とし、施設が複雑化するとともに、施工コストが高騰するのを避けられない。
【０００９】
本発明は、上記のような不都合を解消した雨水流出抑制施設を提供することを課題としており、より具体的には、構成が簡単で施工コストを低減することができ、かつ施設内に堆積した砂やゴミ等の堆積物の除去作業も容易に行うことのできる雨水流出抑制施設を提供することを課題とする。
【課題を解決するための手段】
【００１０】
本発明による雨水流出抑制施設は、雨水を受け入れる雨水流入桝と前記雨水流入桝に接続する雨水貯留空間部とを備える雨水流出抑制施設であって、前記雨水流入桝はその下端部に前記雨水貯留空間部の底部よりも下位に位置する沈砂桝を備え、前記沈砂桝には周壁に浸透孔を持つ浸透管の一端が接続しており、前記浸透管は地中に所定長さで延出していることを特徴とする。
【００１１】
上記の雨水流出抑制施設は、雨水貯留空間部の側部に雨水流入桝を備えるのみであり、排水桝を必要としないので構成は簡素化される。雨水流入桝に流入する土砂等を含む雨水は、その下端部に形成された沈砂桝に至り、そこから前記浸透管内に流入する。浸透管は周壁に浸透孔を有しており、流入した雨水は該浸透孔から地中に流れ出る。その過程で、雨水中の土砂等は沈砂桝の底部および浸透管内に残される。雨水流入桝に流入する雨水の量が少ない場合には、その状態が継続する。
【００１２】
浸透管の排水能力を超える量の雨水が流入したときには、沈砂桝を溢流する雨水は雨水貯留空間部内に入り込み、貯水される。その際に、雨水中の砂等は沈砂桝内に落とされるので、雨水貯留空間部内に土砂等が入り込むのは抑制される。また、沈砂桝および浸透管内にすでに堆積している堆積物が雨水貯留空間部内に引き込まれることもない。
【００１３】
本発明による雨水流出抑制施設では、上記のように、雨水中の砂等は浸透管および沈砂桝にそのほとんどが堆積する。そのために、施設のメンテナンス時、すなわち堆積した堆積物を除去するときには、真空引きパイプを雨水流入桝内に挿入し、真空引きパイプで沈砂桝底部に堆積した堆積物を吸い込み、さらに、浸透管内に差し込んで浸透管内に堆積した堆積物を吸い込めばよく、メンテナンス作業はきわめて容易となる。
【００１４】
本発明による雨水流出抑制施設において、雨水貯留空間部は、雨水を貯水する貯水槽であってもよく、一旦貯水した水を周壁から時間とともに地中に放出する貯留槽の形態であってもよい。雨水貯留空間部が貯水槽の場合には、前記雨水流入桝の前記沈砂桝に近接する位置に雨水排出部が備えられる。雨水貯留空間部が貯留槽の場合には、必須ではないが、同じ位置に雨水排出部を備えるようにしてもよい。また、いずれの場合も、雨水貯留空間部は、前記特許文献４，５に記載のように、樹脂材料からなる貯水空間形成部材を多段に積み上げて形成したものであってもよい。
【発明の効果】
【００１５】
本発明によれば、構成が簡単で施工コストを低減することができ、かつ施設内に堆積した砂やゴミ等の堆積物の除去作業も容易に行うことのできる雨水流出抑制施設が提供される。
【図面の簡単な説明】
【００１６】
【図１】本発明による雨水流出抑制施設の一態様を示す図。
【図２】本発明による雨水流出抑制施設の他の態様を示す図。
【図３】雨水流出抑制施設をメンテナンスするときの一例示す図。
【図４】雨水貯留空間部を形成するための樹脂材料からなる貯水空間形成部材の一例を示す図。
【発明を実施するための最良の形態】
【００１７】
以下、図面を参照しながら、本発明を実施の形態に基づき説明する。図１および図２は本発明による雨水流出抑制施設の２つの異なる形態を示しており、図３は雨水流出抑制施設をメンテナンスするときの一例を示している。また、図４は雨水貯留空間部を形成するための樹脂材料からなる貯水空間形成部材の一例を示している。
【００１８】
図１に示す雨水流出抑制施設１０において、２０は雨水流入桝、３０は雨水貯留空間部である。雨水流入桝２０は底部に、周壁に多数の浸透孔４１を持つ浸透管４０の一端が接続しており、この例において、該浸透管４０は垂直方向に地中に延出している。なお、浸透管４０は、耐食性と所要の耐圧縮性を備えることを条件に適宜の材料で作ることができる。例として、樹脂管、繊維強化樹脂管、ステンレス等の金属管などが挙げられる。
【００１９】
以下、施工手順も含めて、詳細に説明する。最初に、所定幅と所定深さに地表面を掘削し、底面に砕石のような基礎材を入れて、雨水流入桝２０のためのレベリング層１および雨水貯留空間部３０のためのレベリング層２を形成する。その際に、雨水流入桝２０のためのレベリング層１は、雨水貯留空間部３０のためのレベリング層２よりも所要距離（例えば、５０ｃｍ程度）だけ低い位置に形成する。次に、掘削面に不織布のような透水性シート３を配置する。透水性シート３の外側をポリエステル繊維のような材料からなる多孔性の保護シート（不図示）を配置することは望ましい。
【００２０】
透水性シート３を配置した前記レベリング層２の上に、図４に示すように、多数の貯水空間形成部材５０を多段に配置して雨水貯留空間部３０とする。貯水空間形成部材５０については、後述する。
【００２１】
さらに、前記レベリング層１の上に、雨水流入桝２０を形成する。この例において、雨水流入桝２０はコンクリート造であり、一方の側壁に前記雨水貯留空間部３０に連通する通水孔２１を備える。また、他方の側壁の上方位置には雨水流入管２２が接続され、雨水流入管２２よりも下方位置であって、前記雨水貯留空間部３０の底面より少し上位の位置にはオリフィスを備えた流出管２３が接続される。雨水流入桝２０の上面は地表面に達しており、その開口部には蓋２４が着脱自在に取り付けられる。
【００２２】
雨水流入桝２０の製造過程であるいは製造後に、その底面には開口２５が形成され、該開口２５から適宜の穿孔具を挿入して、前記レベリング層１を貫通する所要深さの垂直孔を穿孔する。そして、その孔に、前記した周壁に多数の浸透孔４１を持つ浸透管４０を挿入する。雨水流出抑制施設１０に求められる雨水処理能力によって相違するが、通常、浸透管４０の長さは４ｍ程度とされる。
【００２３】
上記のように、雨水流出抑制施設１０において、雨水流入桝２０の底面に雨水貯留空間部３０の底面よりも下方に位置しており、雨水流入桝２０における前記雨水貯留空間部３０の底面レベルより下位の空間は沈砂桝２６として機能することができる。
【００２４】
図２に示す雨水流出抑制施設１０Ａは、前記周壁に多数の浸透孔４１を持つ浸透管４０が、垂直方向にではなく、水平方向あるいはほぼ水平方向に形成されている点で、図１に示した雨水流出抑制施設１０と相違している。この形態では、浸透孔４１はその一端を雨水流入桝２０の底面ではなく、雨水流入桝２０の側壁における前記沈砂桝２６を形成する領域に接続されている。他の形態は、図１に示した雨水流出抑制施設１０と同じであり、同じ符号を付すことで、説明は省略する。
【００２５】
次に、図１に示した雨水流出抑制施設１０を例にとり、雨水の処理態様を説明する。雨水流出抑制施設１０において、雨水流入管２２から雨水流入桝２０に流入する雨水は前記浸透管４０内に入り込み、浸透管４０の周壁に形成した浸透孔４１を通って、および浸透管４０の開放した下端から、地中に含浸していく。雨水に入り込んでいる砂のような固形物は、前記した沈砂桝２６として機能する領域、すなわち、雨水流入桝２０の底面に堆積するとともに、前記浸透管４０の内周壁にも堆積する。
【００２６】
雨水流入管２２から雨水流入桝２０に流入する雨水の量が、浸透管４０を通して地中に含浸していく量を超えたときには、超えた分の雨水、すなわち、前記沈砂桝２６として機能する空間領域から溢流した雨水は、雨水流入桝２０に形成した前記通水孔２１通って、雨水貯留空間部３０内に貯留される。その場合でも、雨水中の砂等の固形物は雨水流入桝２０の底部の沈砂桝２６および浸透管４０内に残されるので、雨水貯留空間部３０内に砂等が入り込むのは抑制される。また、すでに沈砂桝２６および浸透管４０に堆積している堆積物が溢流水とともに雨水貯留空間部３０内に押し流されることもない。
【００２７】
雨水貯留空間部３０内に貯留された雨水は、透水性シート３を通って時間をかけて徐々に地中に含浸していく。また、オリフィスを備えた流出管２３を通って、許容された量の貯留水が、河川等に排出される。なお、雨水貯留空間部３０が透水性シート３で覆われる場合には、前記流出管２３を設けなくても、雨水流出抑制施設１０は所期の目的を達成することができる。図示しないが、雨水貯留空間部３０をゴムシートのような遮水シートで覆う場合には、オリフィスを備えた流出管２３は必須となる。
【００２８】
長日数が経過することにより、雨水に含まれる砂やゴミ等の固形物が、前記した雨水流入桝２０の底部の沈砂桝２６および浸透管４０内に多く堆積した状態となるのを避けられない。そのときに、そのような堆積物を除去する作業、すなわち、雨水流出抑制施設１０のメンテナンス作業が必要となる。
【００２９】
図２に示した形態の雨水流出抑制施設１０Ａを例にとり、図３を用いて、メンテナンス作業の一例を説明する。作業に当たっては、作業者は雨水流入桝２０の上面に取り付けた蓋２４を取り外し、例えばバキュームカー６０の真空引きパイプ６１とともに、雨水流入桝２０内に入る。そして、沈砂桝２６部分の堆積物を吸い取り、さらに真空引きパイプ６１を前記した浸透管４０内に挿入して、浸透管４０の内周壁に堆積した堆積物を吸い取り除去する。
【００３０】
上記のように、本発明による雨水流出抑制施設１０，１０Ａでは、雨水流入桝２０および浸透管４０内に真空引きパイプ６１を差し込むだけで、堆積物を除去することができるので、施設のメンテナンスはきわめて容易化する。
【００３１】
次に、前記した貯水空間形成部材５０の一例を図４に基づき説明する。この例において、貯水空間形成部材５０は樹脂材料で作られており、多数枚の縦方向構造体５１が断面ハ字状にかつ山形をなすようにして連続した形状をなしている。貯水空間形成部材５０は、全体としての上面と下面は実質的に平行をなしており、隣接する縦方向構造体５１の上端縁同士は、長手方向に凹部と凸部を有する上端面５２で接続し、下端縁同士は、上端面５２に形成された凸部の領域が入り込むことのできる開口を有する下端面で連続している。貯水空間形成部材５０は、図示のように、９０度向きを変えながら多段に積み上げられて雨水貯留空間部とされ、雨水貯留空間部における各縦方向構造体５１の間に存在する空間が、雨水流出抑制施設１０，１０Ａでの貯水空間として利用される。
【００３２】
なお、図４に示した貯水空間形成部材５０は一例であって、これに限らず、特許文献４，５等に記載の任意の貯水空間形成部材を用いることができる。また、地盤環境が許す場合には、コンクリート造の雨水貯留空間であってもよい。
【符号の説明】
【００３３】
１０、１０Ａ…雨水流出抑制施設、
２０…雨水流入桝、
３０…雨水貯留空間部、
４０…浸透管、
４１…浸透管の周壁に形成した浸透孔、
５０…貯水空間形成部材、
２１…雨水流入桝に形成した雨水貯留空間部に連通する通水孔、
２２…雨水流入管、
２３…オリフィスを備えた流出管、
２４…雨水流入桝の蓋、
２６…雨水流入桝底部の沈砂桝、
６０…バキュームカー、
６１…真空引きパイプ。
【図１】
2010185224.tif 000003
【図２】
2010185224.tif 000004
【図３】
2010185224.tif 000005
【図４】
2010185224.tif 000006